(57)【要約】【課題】所定の位置に折り曲げくせをつけることができるＦＰＣは、信号配線薄膜が断線したり、充分な折り曲げくせを付与することができない。【解決手段】ベースフィルム２の上に接着性絶縁体３、信号配線薄膜４、接着性絶縁体３及びカバーフィルム５を備えるフレキシブルプリント配線板１において、折り曲げくせをつけたい部分のカバーフィルム５を除去した除去部に、可塑性金属層６を備えることにより、信号配線薄膜４の断線を抑制し、折り曲げたい位置で折り曲げ加工が容易で、フレキシブルプリント配線板１が有する復元力による復元に打ち勝つ構造にすることができ、品質的に安定した安価なフレキシブルプリント配線板１を提供することができる。【選択図】図１
2006066525.tif 000002
【特許請求の範囲】
【請求項１】
信号配線薄膜をベースフィルムとカバーフィルムとの間に挟持したフレキシブルプリント配線板において、前記カバーフィルムを除去した除去部に塑性変形する金属層を備えたことを特徴とするフレキシブルプリント配線板。
【発明の詳細な説明】
【技術分野】
【０００１】
本発明は、フレキシブルプリント配線板の構造に関するものである。
【背景技術】
【０００２】
近年電子機器の小型化及び電子部品の集積化に伴い、電子回路同士及び／または電子回路に供給する電源等を接続するフレキシブルプリント配線板（以下、ＦＰＣと称す）の引き回しも複雑化し、所定個所で折り曲げくせをつけるＦＰＣが要請されている。この要請に対応するためには、折り曲げくせをつけたい箇所に鋭利なバーを押し当てたり、熱バーを当てるといった手法や、特許文献１に記載されたものが知られている。
【０００３】
図５は、特許文献１に記載されたものである。同図において、１０１はＦＰＣ、１０２はベースフィルム、１０３は接着性絶縁体、１０４は信号配線薄膜、１０５はカバーフィルム、１０６はベタ銅箔である。片面に所要の回路を形成したＦＰＣ１０１において、信号配線薄膜１０４のベースフィルム１０５を介した裏面にベタ銅箔１０５を残し、折り曲げくせをつけたい部分（箇所）のみにベタ銅箔１０５を残さないようにした構成である。この構成では、ベタ銅箔１０６を残した部分はベタ銅箔１０６を除去した部分に比べると柔軟性を有するため、容易に曲がりくせを付けることができる。
【０００４】
図６は、特許文献１で提案されている他の例を示す断面図である。同図のＦＰＣ１０７は、図５のベタ銅箔１０６に代え、折り曲げくせを付けたい部分の信号配線薄膜１０４の両側に、高柔軟性絶縁樹脂１０８を備える構成である。高柔軟性絶縁樹脂１０８は、ベースフィルム１０２、接着性絶縁体１０３及びカバーフィルム１０５に比べると柔軟性を有するため、容易に曲がりくせを付けることができる。
【特許文献１】特開平８−１１６１４０号公報（段落番号０００９〜同００１１、図４及び図１）
【発明の開示】
【発明が解決しようとする課題】
【０００５】
従来の方法は、ＦＰＣに大きな力や熱を加えるため曲げ部の配線が断線したり、カバーフィルムを接着する接着剤がはみ出す等の品質的な課題がある。図５に示した構成では折り曲げたい箇所自体はベースフィルム１０２、接着性絶縁体１０３及びカバーフィルム１０５を備えた構成であるため、接着性絶縁体１０３及び／またはカバーフィルム１０５による復元力（スプリングバックとも称される）が大きく例えば鋭利な曲げくせを施せないと共に復元力により折り曲げた状態を維持できないという課題がある。図６に示した構成では、高柔軟性絶縁樹脂１０８の柔軟性で折り曲げたい箇所の柔軟性は増加させることはできるが、ベースフィルム１０２１、接着性絶縁体１０３及び／またはカバーフィルム１０５と高柔軟性絶縁樹脂１０８との界面での破断が発生し易く、配線薄膜１０４が断線し易いという課題があった。
【０００６】
そこで本発明は係る従来の課題に鑑み、折り曲げくせをつけたい部分（箇所）のみ選択的に柔軟性を有し、しかも曲げくせを簡単に付加することができるＦＰＣを提供することを目的としてなされたものである。
【課題を解決するための手段】
【０００７】
このようは課題に対し本発明は、折り曲げくせをつけたい部分（箇所）のカバーフィルムを除去し、このカバーフィルムを除去した除去部に塑性変形する金属メッキを施しておくことにより、ＦＰＣに確実に折り曲げくせをつけることができる。
【発明の効果】
【０００８】
以上のようなＦＰＣの構成にすると、折り曲げくせをつけたい部分で容易に折り曲げることができ、スプリングバックの比較的少ない折り曲げくせをつけることができる。
【発明を実施するための最良の形態】
【０００９】
本発明は、カバーフィルムの除去、およびそこの露出した接着性絶縁体及び／または信号配線薄膜へ塑性変形する金属をメッキした構成を備えるため、カバーフィルムのスプリングバックがなくなり、またメッキは塑性変形したままの形を保持するため、ＦＰＣに確実に折り曲げくせをつけることができる。
【００１０】
以下、図面に基づいて本発明のＦＰＣの実施形態を図面を参照して詳細に説明する。図１は本発明のＦＰＣの一実施形態を説明する要部断面図、図２は同実施形態のＦＰＣに曲げ応力を印加した状態を説明する要部断面図である。図中１はＦＰＣ、２はベースフィルム、３は接着性絶縁体、４は電気信号または電流を供給する信号配線薄膜、５はカバーレイフィルムとも称されるカバーフィルム、６は塑性変形性を有する金属層である。同図における金属層６は、カバーフィルム５を除去した除去部に接着性絶縁体３を露出した形態である。この除去部に金属層６を備えることにより、図２に示したようにＦＰＣ１に曲げ応力Ｆを印加すると除去部で折り曲げられるが、除去部に充填した金属層が塑性変形性を有するため、曲げ応力Ｆに追従すると共に曲げ応力Ｆを印加しない場合でもＦＰＣ１の復元力を抑制することができる。
【００１１】
同図において、ベースフィルム２及びカバーフィルム５にはそれぞれポリイミド樹脂、ポリエステル樹脂などからなる耐熱可撓性絶縁フィルムが供され、厚みも一般的に同一であるため、ＦＰＣ１としては見分けが付かないが、製造工程で便宜上付けられる。本発明でいうカバーフィルムは同図におけるベースフィルム２であっても良いが、除去部及び金属層６はＦＰＣ１の製造時に予め設ける場合が多いため、カバーフィルム５に備えることが好ましい。また、本発明の金属層６はカバーフィルム５及びベースフィルム２の両側に備える構成であっても適用できるが、カバーフィルム５（またはベースフィルム２）側のみに備える構成であっても効果は同程度でありながら工程数を削減することができるためコスト的に有利である。３はベースフィルム２及びカバーフィルム５と信号配線薄膜４とを接着すると共に可撓性をＦＰＣ１に備えさせる絶縁体であり、エポキシ樹脂や柔軟性を付与した変性ポリイミド樹脂等が供される。４は電気信号または電流を供給する導体であり、一般的に銅箔が供される。また、金属層６としては、塑性変形性を有する材料であれば何れでも適用することができるが、半田、錫、銀、金等が供される。なお、金属層６の形成方法としては、溶融金属を塗布する塗布法、電界または無電界メッキ処理するメッキ法、あるいはスパッタ法等何れでも適用できるが、一般的に信号配線薄膜４はメッキで形成されるため、メッキ方が好ましい。また、メッキ法で金属層６を形成する場合には、ＦＰＣ１を完成した後でも可能であるが、ＦＰＣ１の製造工程中で例えばＦＰＣ１の端子電極の半田メッキ作成時等に同時に行うことが望ましい。なお、同図ではカバーフィルム５の厚み以下に金属層６を設けた構成であるが、折り曲げ部分の曲率及び／またはＦＰＣ１の復元力に応じて、カバーフィルム５の厚み程度とすることもできる。
【００１２】
図３は本発明のＦＰＣにおける他の実施形態を示す要部断面図で、カバーフィルム５が除去された除去部の接着性絶縁体３の一部を刳り抜き、塑性変形性金属を充填したＦＰＣ７の形態である。同図における金属層６は、接着性絶縁体３とカバーフィルム５との境界部まで充填した形態であるが、接着性絶縁体３の刳り抜き部厚み未満に充填しても良く、カバーフィルム５に接するまで充填しても良い。本実施形態は先の実施形態よりも金属層６の厚みに対する自由度が増加するため、ＦＰＣ７をより折り曲げることができ、しかも折り曲げ度合いによる復元力制御も金属層６の膜厚で制御できるため好ましい。
【００１３】
図４は本発明のＦＰＣにおける別の実施形態を示す要部断面図で、図５は同ＦＰＣに曲げ応力を印加した状態を説明する要部断面図である。同図の構成は、金属層６を信号配線薄膜４の上に備えたＦＰＣ８の形態であり、図３で説明したように金属層６の膜厚による制御の自由度が更に増大すると共に、金属層６と信号配線薄膜４との密着性が向上するため、折り曲げ箇所が小さい及び／または折り曲げ曲率が大きい場合等に特に有効である。
【００１４】
図８は本発明のＦＰＣにおける他の実施形態を示す要部断面図である。同図は、ベースフィルム２とカバーフィルム５との間に直接信号配線薄膜４を備えたＦＰＣ９である。なお、同図において接着性絶縁体３は相隣接する信号配線薄膜４を接着するため信号配線薄膜４の膜厚程度に構成しても良い。なお、同図では金属層６の厚みをカバーフィルム５の厚みと同程度としたが、前述したように金属層６の膜厚はカバーフィルム５の膜厚とドイツである必要はない。
【００１５】
以上説明したように本発明のＦＰＣは、配線を複雑に引き回す場合にほぼ必須である折り曲げ加工に対し、極めて容易にかつ安定したＦＰＣを提供できるため、各種電気機器の実装に応用することができる。
【産業上の利用可能性】
【００１６】
本発明のＦＰＣは、携帯電話、カメラ、光ピックアップ等の微細で複雑な引き回しが要求される配線材料に好適である。
【図面の簡単な説明】
【００１７】
【図１】本発明のフレキシブルプリント配線板の一実施形態を示す断面図
【図２】同フレキシブルプリント基板に曲げ力を印加した状態を説明する断面図
【図３】本発明のフレキシブルプリント配線板の他の実施形態を示す断面図
【図４】本発明のフレキシブルプリント配線板の別の実施形態を示す断面図
【図５】同フレキシブルプリント基板に曲げ力を印加した状態を説明する断面図
【図６】従来構成の一例における曲げ力を印加した状態を説明する断面図
【図７】従来構成の他の例における曲げ力を印加した状態を説明する断面図
【図８】本発明のフレキシブルプリント配線板の他の実施形態を示す断面図
【符号の説明】
【００１８】
１  フレキシブルプリント配線板
２  ベースフィルム
３  接着性絶縁体
４  信号配線薄膜
５  カバーフィルム
６  金属層
【図１】
2006066525.tif 000003
【図２】
2006066525.tif 000004
【図３】
2006066525.tif 000005
【図４】
2006066525.tif 000006
【図５】
2006066525.tif 000007
【図６】
2006066525.tif 000008
【図７】
2006066525.tif 000009
【図８】
2006066525.tif 000010